(57)【要約】【課題】  ブラックマスクのような付加要素が設けられていない場合にも、静電気破壊の故障を有効に防止することの可能な液晶表示素子を提供する。【解決手段】  コモン電極（コモン配線）は、最外周部に位置する電極部と、最外周部に対して内側に位置し表示に関与する形状をもつ電極ＣＯＭ２，ＣＯＭ３，ＣＯＭ４，ＣＯＭ５，ＣＯＭ６，ＣＯＭ７，ＣＯＭ８とを備え、最外周部に位置する電極部は、第１の電極ＣＯＭ０と、第１の電極の内側に位置する第２の電極ＣＯＭ１とを有し、第２の電極ＣＯＭ１は、該第２の電極ＣＯＭ１の取り出し部の近傍に、最外周部に位置する電極部に対して内側に位置し表示に関与する形状をもつ各電極ＣＯＭ２，ＣＯＭ３，ＣＯＭ４，ＣＯＭ５，ＣＯＭ６，ＣＯＭ７，ＣＯＭ８と同様の線状の引き回し形状による高抵抗部分を備えている。【選択図】      図６
2009175566.tif 000002
【特許請求の範囲】
【請求項１】
一対の透明基板と、一対の透明電極と、一対の配向膜とを有し、一対の透明電極のそれぞれは、前記一対の透明基板の対応する透明基板上に形成され、前記一対の配向膜のそれぞれは、前記一対の透明電極の対応する透明電極を覆うように形成され、一対の透明基板間には液晶が封入されている液晶表示素子であって、
前記一対の透明電極のうちの少なくとも一方の透明電極は、最外周部に位置する電極部と、最外周部に対して内側に位置し表示に関与する形状をもつ電極とを備え、
前記最外周部に位置する電極部は、第１の電極と、第１の電極の内側に位置する第２の電極とを有し、
前記最外周部に位置する電極部の第２の電極は、該第２の電極の取り出し部の近傍に、前記最外周部に位置する電極部に対して内側に位置し表示に関与する形状をもつ電極と同様の線状の引き回し形状による高抵抗部分を備えていることを特徴とする液晶表示素子。
【請求項２】
請求項１記載の液晶表示素子において、前記液晶表示素子は、さらに一対の偏光板を備え、前記一対の偏光板のそれぞれは、前記一対の透明基板の対応する透明基板の外側に形成され、前記一対の透明電極のそれぞれは、前記一対の透明基板の対応する透明基板の内側に形成されていることを特徴とする液晶表示素子。
【請求項３】
請求項１または請求項２記載の液晶表示素子において、前記最外周部に位置する電極部の前記第１の電極と前記第２の電極とは、前記第１の電極が、表示に関与しない電極であり、前記第２の電極が、表示に関与する電極であって表示に関与する形状を有するように、電気的に分離されていることを特徴とする液晶表示素子。
【請求項４】
請求項１または請求項２記載の液晶表示素子において、前記最外周部に位置する電極部の前記第１の電極と前記第２の電極とは、前記第１の電極および前記第２の電極が、表示に関与する電極であって、前記第２の電極が、表示に関与する形状を有するように、電気的に接続されていることを特徴とする液晶表示素子。
【請求項５】
請求項１乃至請求項４のいずれか一項に記載の液晶表示素子において、前記最外周部に位置する電極部のうちの表示に関与する形状をもつ電極の抵抗値は、前記最外周部に対して内側に位置し表示に関与する形状をもつ電極の抵抗値に対して概ね８４〜１３０％の範囲の値を有していることを特徴とする液晶表示素子。
【発明の詳細な説明】
【技術分野】
【０００１】
本発明は、液晶表示素子に関する。
【背景技術】
【０００２】
図１は、一般的な液晶表示素子（液晶セル）の構成例を示す図である。図１を参照すると、液晶表示素子（液晶セル）は、一般に、一対の偏光板１ａ，１ｂと、一対の透明基板２ａ，２ｂと、一対の透明電極３ａ，３ｂと、一対の配向膜４ａ，４ｂとを有し、前記一対の偏光板１ａ，１ｂのそれぞれは、前記一対の透明基板２ａ，２ｂの対応する透明基板上（前記一対の透明基板２ａ，２ｂの対応する透明基板の外側）に形成され、、前記一対の透明電極３ａ，３ｂのそれぞれは、前記一対の透明基板２ａ，２ｂの対応する透明基板上（前記一対の透明基板２ａ，２ｂの対応する透明基板の内側）に形成され、前記一対の配向膜４ａ，４ｂのそれぞれは、前記一対の透明電極３ａ，３ｂの対応する透明電極を覆うように形成され、一対の透明基板２ａ，２ｂ間には液晶５が封入されている。
【０００３】
このような液晶表示素子（液晶セル）では、一対の透明電極３ａ，３ｂ間に電位差を与えると、この電位差によって生ずる電界に応答して、液晶５の配列が変化し、液晶５の配列の変化が光学的作用の差となり、表示の点灯，非点灯の動作を行なわせることができる。
【０００４】
ところで、液晶表示素子（液晶セル）の製造工程には、点灯検査のため各偏光板１ａ，１ｂの表面に貼り付けられた保護フィルム（各偏光板１ａ，１ｂは、表面の保護のために、透明基板２ａ，２ｂへの接着面とは反対の面に保護フィルムを備える）を剥がす工程が含まれる場合があり、この場合、保護フィルムを剥がす際に静電気が発生することがある。また、液晶表示素子（液晶セル）には、保護フィルムを剥がす以外のときにも、静電気は発生する。例えば液晶表示素子（液晶セル）を実際に稼動させるときに静電気が発生する。すなわち、図１の例では、液晶表示素子（液晶セル）には、一対の偏光板１ａ，１ｂが設けられているが、一対の偏光板１ａ，１ｂが設けられていない場合もあり、一対の偏光板１ａ，１ｂが設けられていると否とにかかわらず、液晶表示素子（液晶セル）には、静電気が発生する。
【０００５】
このように静電気が発生すると、帯電した電荷により、一対の透明電極３ａ，３ｂ間の絶縁破壊による短絡が生じ、配向膜４ａ，４ｂの破損、透明電極３ａ，３ｂの破損を生じさせることがある。
【０００６】
従来、例えば特許文献１には、一例としてブラックマスクを利用して、一方の基板の略全面を接地することで、静電気の蓄積を防止する構成が示されている。
【特許文献１】特開平５−３１２７５４号公報
【発明の開示】
【発明が解決しようとする課題】
【０００７】
しかしながら、特許文献１の構成は、ブラックマスクなどの利用を前提としており、ブラックマスクを利用しない例えば安価な液晶表示素子（液晶セル）には採用できない構成となっている。
【０００８】
本発明は、ブラックマスクのような付加要素が設けられていない場合にも、静電気破壊の故障を有効に防止することの可能な液晶表示素子を提供することを目的としている。
【課題を解決するための手段】
【０００９】
上記目的を達成するために、請求項１記載の発明は、一対の透明基板と、一対の透明電極と、一対の配向膜とを有し、一対の透明電極のそれぞれは、前記一対の透明基板の対応する透明基板上に形成され、前記一対の配向膜のそれぞれは、前記一対の透明電極の対応する透明電極を覆うように形成され、一対の透明基板間には液晶が封入されている液晶表示素子であって、
前記一対の透明電極のうちの少なくとも一方の透明電極は、最外周部に位置する電極部と、最外周部に対して内側に位置し表示に関与する形状をもつ電極とを備え、
前記最外周部に位置する電極部は、第１の電極と、第１の電極の内側に位置する第２の電極とを有し、
前記最外周部に位置する電極部の第２の電極は、該第２の電極の取り出し部の近傍に、前記最外周部に位置する電極部に対して内側に位置し表示に関与する形状をもつ電極と同様の線状の引き回し形状による高抵抗部分を備えていることを特徴としている。
【００１０】
また、請求項２記載の発明は、請求項１記載の液晶表示素子において、前記液晶表示素子は、さらに一対の偏光板を備え、前記一対の偏光板のそれぞれは、前記一対の透明基板の対応する透明基板の外側に形成され、前記一対の透明電極のそれぞれは、前記一対の透明基板の対応する透明基板の内側に形成されていることを特徴としている。
【００１１】
また、請求項３記載の発明は、請求項１または請求項２記載の液晶表示素子において、前記最外周部に位置する電極部の前記第１の電極と前記第２の電極とは、前記第１の電極が、表示に関与しない電極であり、前記第２の電極が、表示に関与する電極であって表示に関与する形状を有するように、電気的に分離されていることを特徴としている。
【００１２】
また、請求項４記載の発明は、請求項１または請求項２記載の液晶表示素子において、前記最外周部に位置する電極部の前記第１の電極と前記第２の電極とは、前記第１の電極および前記第２の電極が、表示に関与する電極であって、前記第２の電極が、表示に関与する形状を有するように、電気的に接続されていることを特徴としている。
【００１３】
また、請求項５記載の発明は、請求項１乃至請求項４のいずれか一項に記載の液晶表示素子において、前記最外周部に位置する電極部のうちの表示に関与する形状をもつ電極の抵抗値は、前記最外周部に対して内側に位置し表示に関与する形状をもつ電極の抵抗値に対して概ね８４〜１３０％の範囲の値を有していることを特徴としている。
【発明の効果】
【００１４】
請求項１乃至請求項５記載の発明によれば、一対の透明基板と、一対の透明電極と、一対の配向膜とを有し、一対の透明電極のそれぞれは、前記一対の透明基板の対応する透明基板上に形成され、前記一対の配向膜のそれぞれは、前記一対の透明電極の対応する透明電極を覆うように形成され、一対の透明基板間には液晶が封入されている液晶表示素子であって、
前記一対の透明電極のうちの少なくとも一方の透明電極は、最外周部に位置する電極部と、最外周部に対して内側に位置し表示に関与する形状をもつ電極とを備え、
前記最外周部に位置する電極部は、第１の電極と、第１の電極の内側に位置する第２の電極とを有し、
前記最外周部に位置する電極部の第２の電極は、該第２の電極の取り出し部の近傍に、前記最外周部に位置する電極部に対して内側に位置し表示に関与する形状をもつ電極と同様の線状の引き回し形状による高抵抗部分を備えているので、ブラックマスクのような付加要素が設けられていない場合にも、静電気破壊の故障を有効に防止することができる。
【発明を実施するための最良の形態】
【００１５】
以下、本発明の実施形態を図面に基づいて説明する。
【００１６】
本発明の液晶表示素子（液晶セル；ＬＣＤ）は、その一構成例として、基本的には図１のようになっている。すなわち、本発明の液晶表示素子（液晶セル；ＬＣＤ）も、その一構成例として、一対の偏光板１ａ，１ｂと、一対の透明基板２ａ，２ｂと、一対の透明電極３ａ，３ｂと、一対の配向膜４ａ，４ｂとを有し、前記一対の偏光板１ａ，１ｂのそれぞれは、前記一対の透明基板２ａ，２ｂの対応する透明基板上（前記一対の透明基板２ａ，２ｂの対応する透明基板の外側）に形成され、、前記一対の透明電極３ａ，３ｂのそれぞれは、前記一対の透明基板２ａ，２ｂの対応する透明基板上（前記一対の透明基板２ａ，２ｂの対応する透明基板の内側）に形成され、前記一対の配向膜４ａ，４ｂのそれぞれは、前記一対の透明電極３ａ，３ｂの対応する透明電極を覆うように形成され、一対の透明基板２ａ，２ｂ間には液晶５が封入されている。
【００１７】
このような液晶表示素子（液晶セル；ＬＣＤ）では、一対の透明電極３ａ，３ｂ間に電位差を与えると、この電位差によって生ずる電界に応答して、液晶５の配列が変化し、液晶５の配列の変化が光学的作用の差となり、表示の点灯，非点灯の動作を行なわせることができる。
【００１８】
なお、図１の例では、液晶表示素子（液晶セル；ＬＣＤ）には、一対の偏光板１ａ，１ｂが設けられているが、一対の偏光板１ａ，１ｂが設けられていない場合もある。
【００１９】
図１の例において、一対の透明電極３ａ，３ｂのうち、一方の透明電極３ａは、コモン信号が印加されるコモン電極（コモン配線）であり、他方の透明電極３ｂは、セグメント電極である。コモン電極３ａは、後述のように、一般には、複数の電極により構成されている。同様に、セグメント電極３ｂも、一般には、複数の電極により構成されている。
【００２０】
図２，図３はコモン電極（コモン配線）３ａをより詳細に示す図であり、図２は側面図、図３は部分概略斜視図である。図２，図３を参照すると、コモン電極（コモン配線）３ａは、一方の透明基板２ａ上に形成された電極本体部３ａ−１と、他方の透明基板２ｂ上に形成された取り出し部３ａ−２と、一方の透明基板２ａ上に形成された電極本体部３ａ−１と他方の透明基板２ｂ上に形成された電極本体部３ａ−２とを導通させる導通部３ａ−３とを有している。
【００２１】
また、図４，図５は在来の液晶表示素子（液晶セル；ＬＣＤ）におけるコモン電極３ａの平面図である。なお、図５は図４の部分拡大図である。図４，図５を参照すると、在来の液晶表示素子（液晶セル；ＬＣＤ）におけるコモン電極３ａは、最外周部に位置する大きな面積の電極（取り出し部３ａ−２をＣＯＭ１で示す電極）と、最外周部に位置する大きな面積の電極の内側に位置し、線状の引き回し形状を有する複数の電極（取り出し部３ａ−２をそれぞれＣＯＭ２，ＣＯＭ３，ＣＯＭ４，ＣＯＭ５，ＣＯＭ６，ＣＯＭ７，ＣＯＭ８で示す各電極）とにより構成されている。なお、図４，図５において、ＮＣは使用されていない端子である。
【００２２】
本願の発明者は、在来の液晶表示素子（液晶セル；ＬＣＤ）のコモン電極３ａにおいて、最外周部に位置する大きな面積の電極ＣＯＭ１が、他の各電極ＣＯＭ２，ＣＯＭ３，ＣＯＭ４，ＣＯＭ５，ＣＯＭ６，ＣＯＭ７，ＣＯＭ８に比べて面積が非常に大きく、電極ＣＯＭ１の面積が大きいことは、この電極ＣＯＭ１と対向するセグメント電極との間で、静電容量の増加をもたらし、外部刺激による静電気蓄積の結果の絶縁破壊による（放電による）素子破壊の程度がより大きくなり、白点，黒点，不灯といった不良が発生しやすくなることを見出した。なお、ここで、白点は、ネガ型ＬＣＤにおいて、配向膜表面の放電破壊による該当箇所の配向不良によって生じる。また、黒点は、ポジ型ＬＣＤにおいて、配向膜表面の放電破壊による該当箇所の配向不良によって生じる。また、不灯は、放電破壊により電極が切断されること、または、放電破壊により生じた飛散物等で対向する電極が短絡することによって生じる。
【００２３】
本発明は、本願の発明者による上記知見からなされたものであり、本発明では、図６に部分拡大図で例示するように、コモン電極（コモン配線）は、最外周部に位置する電極部と、最外周部に対して内側に位置し表示に関与する形状をもつ電極ＣＯＭ２，ＣＯＭ３，ＣＯＭ４，ＣＯＭ５，ＣＯＭ６，ＣＯＭ７，ＣＯＭ８とを備え、
前記最外周部に位置する電極部は、第１の電極ＣＯＭ０と、第１の電極の内側に位置する第２の電極ＣＯＭ１とを有し、
前記最外周部に位置する電極部の第２の電極ＣＯＭ１は、該第２の電極ＣＯＭ１の取り出し部の近傍に、前記最外周部に位置する電極部に対して内側に位置し表示に関与する形状をもつ各電極ＣＯＭ２，ＣＯＭ３，ＣＯＭ４，ＣＯＭ５，ＣＯＭ６，ＣＯＭ７，ＣＯＭ８と同様の線状の引き回し形状による高抵抗部分を備えていることを特徴としている。
【００２４】
すなわち、図６の例では、図５の構成において、最外周部に位置する大きな面積の電極ＣＯＭ１にスリットＳＬ１，ＳＬ２を入れて、最外周部に位置する大きな面積の電極ＣＯＭ１を２つの電極ＣＯＭ０，ＣＯＭ１に分割し、２つの電極ＣＯＭ０，ＣＯＭ１のうちの外側に位置する電極ＣＯＭ０をＮＣ端子に接続したものとなっている。
【００２５】
図７は本発明の液晶表示素子（液晶セル；ＬＣＤ）におけるコモン電極３ａの第１の構成例を示す平面図である。図７を参照すると、コモン電極３ａの第１の構成例では、第１の電極ＣＯＭ０には、図４，図５において使用されていない端子ＮＣを用い、第１の電極ＣＯＭ０と第２の電極ＣＯＭ１とは、第１の電極ＣＯＭ０が、表示に関与しない電極であり、第２の電極ＣＯＭ１が、表示に関与する電極であって表示に関与する形状を有するように、電気的に分離されている。なお、第１の構成例において、前記最外周部に位置する電極部に対して内側に位置し表示に関与する形状をもつ各電極ＣＯＭ２，ＣＯＭ３，ＣＯＭ４，ＣＯＭ５，ＣＯＭ６，ＣＯＭ７，ＣＯＭ８は、図４，図５の各電極ＣＯＭ２，ＣＯＭ３，ＣＯＭ４，ＣＯＭ５，ＣＯＭ６，ＣＯＭ７，ＣＯＭ８と同じ構成（例えば同じ形状、抵抗値）のものとなっている。
【００２６】
また、図８は本発明の液晶表示素子（液晶セル；ＬＣＤ）におけるコモン電極３ａの第２の構成例を示す平面図である。図８を参照すると、コモン電極３ａの第２の構成例では、第１の電極ＣＯＭ０には、図４，図５において使用されていない端子ＮＣを用い、第１の電極ＣＯＭ０と第２の電極ＣＯＭ１とは、第１の電極ＣＯＭ０および第２の電極ＣＯＭ１が、表示に関与する電極であって、前記第２の電極ＣＯＭ１が、表示に関与する形状を有するように、電気的に接続されている。すなわち、この第２の構成例では、第１の電極ＣＯＭ０と第２の電極ＣＯＭ１とが電気的に接続されていることから、ＣＯＭ０はＣＯＭ１として図示されている。なお、第２の構成例において、前記最外周部に位置する電極部に対して内側に位置し表示に関与する形状をもつ各電極ＣＯＭ２，ＣＯＭ３，ＣＯＭ４，ＣＯＭ５，ＣＯＭ６，ＣＯＭ７，ＣＯＭ８は、図４，図５の各電極ＣＯＭ２，ＣＯＭ３，ＣＯＭ４，ＣＯＭ５，ＣＯＭ６，ＣＯＭ７，ＣＯＭ８と同じ構成（例えば同じ形状、抵抗値）のものとなっている。
【００２７】
本願の発明者は、実際に、図７，図８に示したコモン電極３ａをもつ本発明の第１，第２の構成例の液晶表示素子（液晶セル；ＬＣＤ）を作製し、図４に示したコモン電極３ａをもつ在来の液晶表示素子（液晶セル；ＬＣＤ）、図７，図８に示したコモン電極３ａをもつ本発明の第１，第２の構成例の液晶表示素子（液晶セル；ＬＣＤ）のそれぞれについて、静電気の印加試験（第１，第２の印加試験）を行った。
【００２８】
なお、図４に示したコモン電極３ａをもつ在来の液晶表示素子（液晶セル；ＬＣＤ）の電極ＣＯＭ１の抵抗値、図７，図８に示したコモン電極３ａをもつ本発明の第１，第２の構成例の液晶表示素子（液晶セル；ＬＣＤ）の電極ＣＯＭ１の抵抗値の、他の各電極ＣＯＭ２，ＣＯＭ３，ＣＯＭ４，ＣＯＭ５，ＣＯＭ６，ＣＯＭ７，ＣＯＭ８の抵抗値に対する比率は、図９に示すものであった。すなわち、図４に示したコモン電極３ａをもつ在来の液晶表示素子（液晶セル；ＬＣＤ）の電極ＣＯＭ１の抵抗値は、他の各電極ＣＯＭ２，ＣＯＭ３，ＣＯＭ４，ＣＯＭ５，ＣＯＭ６，ＣＯＭ７，ＣＯＭ８の抵抗値の約２５〜３４％（低抵抗）であったのに対し、図７，図８に示したコモン電極３ａをもつ本発明の第１，第２の構成例の液晶表示素子（液晶セル；ＬＣＤ）の電極ＣＯＭ１の抵抗値は、他の各電極ＣＯＭ２，ＣＯＭ３，ＣＯＭ４，ＣＯＭ５，ＣＯＭ６，ＣＯＭ７，ＣＯＭ８の抵抗値の約８４〜１３０％（他の各電極ＣＯＭ２，ＣＯＭ３，ＣＯＭ４，ＣＯＭ５，ＣＯＭ６，ＣＯＭ７，ＣＯＭ８とほぼ同様の高抵抗）であった。
【００２９】
第１の印加試験では、静電気の印加電圧を２０ｋＶ、印加時間を１秒、印加回数を１０回とした。なお、第１の印加試験における静電気の印加方法としては、図４，図７，図８の液晶表示素子（液晶セル；ＬＣＤ）をそれぞれ順次にカーステレオに実装し（半田付けし）、液晶表示素子（液晶セル；ＬＣＤ）を点灯させた状態でコモン電極（コモン配線）３ａの近傍に接触放電させた。
【００３０】
第１の印加試験の結果、図４の在来の液晶表示素子では、印加回数１０回以内で表示異常が発生した。すなわち、導通不良が発生し、不灯となった。これに対し、図７，図８の本発明の液晶表示素子では、印加回数１０回以降においても表示異常の発生はなかった。
【００３１】
なお、図４，図７，図８の液晶表示素子のそれぞれについて、コモン電極（コモン配線）３ａの近傍のかわりに、偏光板の表面をランダムに接触放電させても、上記と同様の結果となった。
【００３２】
また、第２の印加試験では、静電気の印加電圧を２０ｋＶ、印加時間を１秒、印加回数を１回ずつとした。なお、第２の印加試験における静電気の印加方法としては、図４，図７，図８の液晶表示素子（液晶セル；ＬＣＤ）のそれぞれについて、コモン電極（コモン配線）３ａの電極ＣＯＭ１に接続されているピン端子にリード線を半田付けし、そのリード線に接触放電させた。
【００３３】
第２の印加試験の結果、図４の在来の液晶表示素子では、印加回数１回目乃至２回目で表示異常が発生した。すなわち、導通不良が発生し、不灯となった。これに対し、図７，図８の本発明の液晶表示素子では、印加回数が６回目においても表示異常の発生はなかった。
【００３４】
以上のことから、図７，図８の本発明の液晶表示素子は、ブラックマスクのような付加要素が設けられていなくても、図４の在来の液晶表示素子と比べて、静電気破壊の故障を有効に防止することができることがわかる。
【００３５】
なお、上述の例では、コモン電極（コモン配線）３ａについて、最外周部に位置する電極部を、第１の電極と、第１の電極の内側に位置する第２の電極とに分割し、外周部に位置する電極部の第２の電極が、該第２の電極の取り出し部の近傍に、最外周部に位置する電極部に対して内側に位置し表示に関与する形状をもつ各電極と同様の線状の引き回し形状による高抵抗部分をもたせるようにしたが、コモン電極（コモン配線）３ａのかわりに、セグメント電極３ｂに本発明を適用し、セグメント電極３ｂを上記の構造のものとすることもできる。あるいは、コモン電極（コモン配線）３ａ，セグメント電極３ｂの両方に本発明を適用し、コモン電極（コモン配線）３ａ，セグメント電極３ｂの両方を上記の構造のものとすることもできる。
【００３６】
また、上述の例では、３ａがコモン電極（コモン配線）、３ｂがセグメント電極であるとしたが、３ａをセグメント電極、３ｂをコモン電極（コモン配線）とすることもでき、この場合にも、同様に、本発明を適用できる。
【００３７】
換言すれば、本発明は、一対の透明基板と、一対の透明電極と、一対の配向膜とを有し、一対の透明電極のそれぞれは、前記一対の透明基板の対応する透明基板上に形成され、前記一対の配向膜のそれぞれは、前記一対の透明電極の対応する透明電極を覆うように形成され、一対の透明基板間には液晶が封入されている液晶表示素子であって、
前記一対の透明電極のうちの少なくとも一方の透明電極が、最外周部に位置する電極部と、最外周部に対して内側に位置し表示に関与する形状をもつ電極とを備え、
前記最外周部に位置する電極部は、第１の電極と、第１の電極の内側に位置する第２の電極とを有し、
前記最外周部に位置する電極部の第２の電極は、該第２の電極の取り出し部の近傍に、前記最外周部に位置する電極部に対して内側に位置し表示に関与する形状をもつ電極と同様の線状の引き回し形状による高抵抗部分を備えていることを特徴としている。
【図面の簡単な説明】
【００３８】
【図１】一般的な液晶表示素子（液晶セル）の構成例を示す図である。
【図２】コモン電極（コモン配線）をより詳細に示す図である。
【図３】コモン電極（コモン配線）をより詳細に示す図である。
【図４】在来の液晶表示素子におけるコモン電極の平面図である。
【図５】在来の液晶表示素子におけるコモン電極の平面図（部分拡大図）である。
【図６】本発明の液晶表示素子におけるコモン電極の平面図（部分拡大図）である。
【図７】本発明の液晶表示素子におけるコモン電極の第１の構成例を示す平面図である。
【図８】本発明の液晶表示素子におけるコモン電極の第２の構成例を示す平面図である。
【図９】図４に示したコモン電極をもつ在来の液晶表示素子の電極ＣＯＭ１の抵抗値、図７，図８に示したコモン電極をもつ本発明の第１，第２の構成例の液晶表示素子の電極ＣＯＭ１の抵抗値の、他の各電極ＣＯＭ２，ＣＯＭ３，ＣＯＭ４，ＣＯＭ５，ＣＯＭ６，ＣＯＭ７，ＣＯＭ８の抵抗値に対する比率を示す図である。
【符号の説明】
【００３９】
１ａ，１ｂ          偏光板
２ａ，２ｂ          透明基板
３ａ，３ｂ          透明電極
４ａ，４ｂ          配向膜
５                  液晶
ＣＯＭ０            第１の電極
ＣＯＭ１            第２の電極
ＣＯＭ２，ＣＯＭ３，ＣＯＭ４，ＣＯＭ５，ＣＯＭ６，ＣＯＭ７，ＣＯＭ８
他の各電極
【図１】
2009175566.tif 000003
【図２】
2009175566.tif 000004
【図３】
2009175566.tif 000005
【図４】
2009175566.tif 000006
【図５】
2009175566.tif 000007
【図６】
2009175566.tif 000008
【図７】
2009175566.tif 000009
【図８】
2009175566.tif 000010
【図９】
2009175566.tif 000011